【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
電源供給の開始を検出する検出器と、
上記検出器にて電源供給の開始が検出された後に、ＣＰＵのリセット解除のタイミングとＣＰＵへのＩ／Ｏ電源供給のタイミングのうち、少なくとも一方のタイミングを決定するタイミング決定部と、
上記タイミング決定部にて決定されるタイミングを制御するための制御値を記憶する、書き換え可能な不揮発性メモリと、
上記不揮発性メモリに記憶されている制御値を書き換えるための書換インターフェイスと、
を有することを特徴とする電源制御装置。
【請求項２】
請求項１記載の電源制御装置であって、
上記不揮発性メモリは、上記制御値として、ＣＰＵのリセット解除のタイミングを制御するための第１のカウント値と、ＣＰＵへのＩ／Ｏ電源供給のタイミングを制御するための第２のカウント値とを記憶しており、
上記タイミング決定部は、上記検出器にて電源供給の開始が検出された後に基準クロックのカウントを開始するカウンタと、上記不揮発性メモリが記憶している第１のカウント値と上記カウンタからのカウント値とを比較する第１の比較器と、上記不揮発性メモリが記憶している第２のカウント値と上記カウンタからのカウント値とを比較する第２の比較器とを備え、上記不揮発性メモリの第１のカウント値と上記カウンタのカウント値との一致を上記第１の比較器が検出したタイミングを、上記ＣＰＵのリセット解除のタイミングに決定し、上記不揮発性メモリの第２のカウント値と上記カウンタのカウント値との一致を上記第２の比較器が検出したタイミングを、上記ＣＰＵへのＩ／Ｏ電源供給のタイミングに決定することを特徴とする電源制御装置。
【請求項３】
請求項１又は請求項２記載の電源制御装置であって、
上記不揮発性メモリは、ＭＯＮＯＳ型のメモリであることを特徴とする電源制御装置。
【請求項４】
ＣＰＵと、
上記ＣＰＵにより動作制御がなされる各構成要素と、
電源供給の開始を検出する検出器と、上記検出器にて電源供給の開始が検出された後に、ＣＰＵのリセット解除のタイミングとＣＰＵへのＩ／Ｏ電源供給のタイミングのうち、少なくとも一方のタイミングを決定するタイミング決定部と、上記タイミング決定部にて決定されるタイミングを制御するための制御値を記憶する、書き換え可能な不揮発性メモリと、上記不揮発性メモリに記憶されている制御値を書き換えるための書換インターフェイスとを備えた電源制御回路と、
を有することを特徴とする電子機器。
【請求項５】
請求項４記載の電子機器であって、
上記電源制御回路の上記不揮発性メモリは、上記制御値として、ＣＰＵのリセット解除のタイミングを制御するための第１のカウンタ値と、ＣＰＵへのＩ／Ｏ電源供給のタイミングを制御するための第２のカウント値とを記憶しており、
上記電源制御回路の上記タイミング決定部は、上記検出器にて電源供給の開始が検出された後に基準クロックのカウントを開始するカウンタと、上記不揮発性メモリが記憶している第１のカウント値と上記カウンタからのカウント値とを比較する第１の比較器と、上記不揮発性メモリが記憶している第２のカウント値と上記カウンタからのカウント値とを比較する第２の比較器とを備え、上記不揮発性メモリの第１のカウント値と上記カウンタのカウント値との一致を上記第１の比較器が検出したタイミングを、上記ＣＰＵのリセット解除のタイミングに決定し、上記不揮発性メモリの第２のカウント値と上記カウンタのカウント値との一致を上記第２の比較器が検出したタイミングを、上記ＣＰＵへのＩ／Ｏ電源供給のタイミングに決定することを特徴とする電子機器。
【請求項６】
請求項４又は請求項５記載の電子機器であって、
上記不揮発性メモリは、ＭＯＮＯＳ型のメモリであることを特徴とする電子機器。
【請求項７】
無線通信を行うための通信回路と、
少なくとも無線通信の制御を行うためのＣＰＵと、
電源供給の開始を検出する検出器と、上記検出器にて電源供給の開始が検出された後に、ＣＰＵのリセット解除のタイミングとＣＰＵへのＩ／Ｏ電源供給のタイミングのうち、少なくとも一方のタイミングを決定するタイミング決定部と、上記タイミング決定部にて決定されるタイミングを制御するための制御値を記憶する、書き換え可能な不揮発性メモリと、上記不揮発性メモリに記憶されている制御値を書き換えるための書換インターフェイスとを備えた電源制御回路と、
を有することを特徴とする携帯通信端末。
【請求項８】
請求項７記載の携帯通信端末であって、
上記電源制御回路の上記不揮発性メモリは、上記制御値として、ＣＰＵのリセット解除のタイミングを制御するための第１のカウンタ値と、ＣＰＵへのＩ／Ｏ電源供給のタイミングを制御するための第２のカウント値とを記憶しており、
上記電源制御回路の上記タイミング決定部は、上記検出器にて電源供給の開始が検出された後に基準クロックのカウントを開始するカウンタと、上記不揮発性メモリが記憶している第１のカウント値と上記カウンタからのカウント値とを比較する第１の比較器と、上記不揮発性メモリが記憶している第２のカウント値と上記カウンタからのカウント値とを比較する第２の比較器とを備え、上記不揮発性メモリの第１のカウント値と上記カウンタのカウント値との一致を上記第１の比較器が検出したタイミングを、上記ＣＰＵのリセット解除のタイミングに決定し、上記不揮発性メモリの第２のカウント値と上記カウンタのカウント値との一致を上記第２の比較器が検出したタイミングを、上記ＣＰＵへのＩ／Ｏ電源供給のタイミングに決定することを特徴とする携帯通信端末。
【請求項９】
請求項７又は請求項８記載の携帯通信端末であって、
上記不揮発性メモリは、ＭＯＮＯＳ型のメモリであることを特徴とする携帯通信端末。
【請求項１０】
ＣＰＵと、
上記ＣＰＵにより動作制御がなされる各構成要素と、
電源供給の開始を検出する検出手段と、上記検出手段にて電源供給の開始が検出された後に、ＣＰＵのリセット解除のタイミングとＣＰＵへのＩ／Ｏ電源供給のタイミングのうち、少なくとも一方のタイミングを決定するタイミング決定手段と、上記タイミング決定手段にて決定されるタイミングを制御するための制御値を記憶する、書き換え可能な不揮発性記憶手段と、上記不揮発性記憶手段に記憶されている制御値を書き換えるための書換インターフェイス手段とを備えた電源制御回路と、
を有することを特徴とする電子機器。
【手続補正２】
【補正対象書類名】明細書
【補正対象項目名】０００１
【補正方法】変更
【補正の内容】
【０００１】
本発明は、電源投入時にＣＰＵ（中央処理ユニット）のリセット解除を行った後にそのＣＰＵ及び各構成に電源を供給する電源制御装置、その電源制御装置を備えた電子機器、及び携帯通信端末に関する。
【手続補正３】
【補正対象書類名】明細書
【補正対象項目名】０００７
【補正方法】変更
【補正の内容】
【０００７】
本発明は、このような実情に鑑みて提案されたものであり、ＣＰＵの仕様が変更されてリセット解除とパワーオンのタイミングの変更が必要になったような場合であっても、アルミ修正等によらずに、リセット解除とパワーオンのタイミングを容易に変更可能な電源制御装置、電子機器、及び携帯通信端末を提供することを目的とする。
【手続補正４】
【補正対象書類名】明細書
【補正対象項目名】０００８
【補正方法】変更
【補正の内容】
【０００８】
本発明の電源制御装置は、電源供給の開始を検出する検出器と、検出器にて電源供給の開始が検出された後に、ＣＰＵのリセット解除のタイミングとＣＰＵへのＩ／Ｏ電源供給のタイミングのうち、少なくとも一方のタイミングを決定するタイミング決定部と、タイミング決定部にて決定されるタイミングを制御するための制御値を記憶する書き換え可能な不揮発性メモリと、不揮発性メモリに記憶されている制御値を書き換えるための書換インターフェイスとを有することにより、上述した課題を解決する。
【手続補正５】
【補正対象書類名】明細書
【補正対象項目名】０００９
【補正方法】変更
【補正の内容】
【０００９】
ここで、不揮発性メモリは、制御値として、ＣＰＵのリセット解除のタイミングを制御するための第１のカウント値と、ＣＰＵへのＩ／Ｏ電源供給のタイミングを制御するための第２のカウント値とを記憶しており、タイミング決定部は、電源供給の開始が検出された後に基準クロックのカウントを開始するカウンタと、不揮発性メモリが記憶している第１のカウント値とカウンタからのカウント値とを比較する第１の比較器と、不揮発性メモリが記憶している第２のカウント値とカウンタからのカウント値とを比較する第２の比較器とを備え、不揮発性メモリの第１のカウント値とカウンタのカウント値との一致を第１の比較器が検出したタイミングを、ＣＰＵのリセット解除のタイミングに決定し、不揮発性メモリの第２のカウント値とカウンタのカウント値との一致を第２の比較器が検出したタイミングを、ＣＰＵへのＩ／Ｏ電源供給のタイミングに決定する。
【手続補正６】
【補正対象書類名】明細書
【補正対象項目名】００１０
【補正方法】変更
【補正の内容】
【００１０】
また、本発明の電子機器と携帯通信端末は、本発明の電源制御装置を搭載したことにより、上述した課題を解決する。
【手続補正７】
【補正対象書類名】明細書
【補正対象項目名】００１１
【補正方法】変更
【補正の内容】
【００１１】
すなわち、本発明においては、ＣＰＵのリセット解除のタイミングとＣＰＵへのＩ／Ｏ電源供給のタイミングのうち少なくとも一方のタイミングを決定するための制御値を、書き換え可能な不揮発性メモリに記憶させているため、その不揮発性メモリが記憶している制御値を書き換えれば、リセット解除のタイミングとＩ／Ｏ電源供給のタイミングの少なくとも一方のタイミングを任意に変更することができるようになる。
【手続補正８】
【補正対象書類名】明細書
【補正対象項目名】００１２
【補正方法】変更
【補正の内容】
【００１２】
本発明によれば、不揮発性メモリの制御値を書き換えることで、リセット解除のタイミングとＩ／Ｏ電源供給のタイミングのうち少なくとも一方のタイミングを変更できるため、例えば、ＣＰＵの仕様が変更されてリセット解除とパワーオンのタイミングの変更が必要になったような場合であっても、アルミ修正等によらずに、リセット解除とパワーオンのタイミングを容易に変更可能となっている。
【手続補正９】
【補正対象書類名】明細書
【補正対象項目名】００１３
【補正方法】変更
【補正の内容】
【００１３】
以下、図面を参照しながら、本発明の電源制御装置、電子機器及び携帯通信端末が適用される実施形態について説明する。